(57)【特許請求の範囲】
【請求項１】
阻集器の貯留槽本体に、少なくとも、排水が流れ込むバスケットと、水と油の比重差を利用して油脂分を浮上分離させる分離室と、排水を下水管へと流出させる流出口と、前記流出口に接続され、前記流出口下流からの臭気や虫の侵入を防ぐ排水トラップと、を備えた阻集器であって、
前記貯留槽本体内には、前記排水トラップを含む流出部を囲う隔板が設けられ、前記隔板は、前記貯留槽本体内の前記流出口側内面に係止され、前記排水トラップを含む流出部を囲うように、前記流出口側を除いた三面を有する立体形状であり、
前記排水トラップは、流路が上下方向に形成され、排水を流下させる縦直管部と、前記縦直管部の上端開口部から排水が入り込めるよう空間を維持しつつ前記縦直管部の上端部を覆う封水キャップを備え、
前記縦直管部の下流側には前記排水の流れを前記上下方向から水平方向に変更させる曲管部が接続され、
前記封水キャップは、その中心軸が前記縦直管部の中心軸より前記流出口側に偏心しており、さらに、前記隔板上に置かれて位置決めされることを特徴とする阻集器。
【請求項２】
前記排水トラップは、前記封水キャップの内周面と、前記縦直管部の上端外周面とが、前記流出口側とは反対側で接するように設けられていることを特徴とする請求項１に記載の阻集器。
【請求項３】
前記封水キャップは、さらに、前記中心軸を流路方向から左右いずれかの方向へ偏心させた状態で前記縦直管部の上端部を覆うことができることを特徴とする請求項１または２に記載の阻集器。
【発明の詳細な説明】
【技術分野】
【０００１】
本発明は、排水に含まれる油脂類などが下水に流出する前に排水から油脂類を分離し収集する阻集器や枡などに使われる排水トラップに関する。
【背景技術】
【０００２】
油脂、ガソリン、土砂その他を含む排水をそのまま下水に流すと、下水管などを閉塞したり損傷する等、配管設備の機能に支障をきたすなどのおそれがある場合、有効な位置に阻集器を設置することが義務付けられている。阻集器の一例として、飲食店の厨房から排出される排水から油脂類等を分離し収集するグリース阻集器などがある。
【０００３】
グリース阻集器は、貯留槽本体を有し、側溝あるいはパイプから貯留槽本体に流れ込んできた排水に混入している残さやゴミなどを取り除くバスケットを設けた排水流入室と、残さやゴミなどを取り除かれた後の排水から油脂類を分離させる分離室と、油脂類が分離された排水を下水管へと流出させる流出口に下水管から臭気や虫が侵入してくるのを防ぐ排水トラップが設けられる。
【０００４】
グリース阻集器の設置位置は、厨房の床上に設置する場合と、床下に設置する場合があるが、大半が床下に設置される。そして、床下に設置される場合には、厨房の存する建物の建築構造体の違いに応じて施工方法に違いがあり、埋設、増打コンクリート埋設（以下、「増打」という。）、床つり形埋設（以下、「床つり」という。）などのいずれかで設置される（ＳＨＡＳＥ−Ｓ２１７。空気調和・衛生工学会規格。以下、「ＳＨＡＳＥ規格」という。）。施工方法については後述する。
【０００５】
さらに、床下に設置されるグリース阻集器の貯留槽本体には、その高さ（深さ）が深いもの（深型）と浅いもの（浅型）があり、施工方法に応じて、深型あるいは浅型のどちらかが選定される。また、貯留槽本体の高さだけでなく、建築物の構造体の形状や建物内の配管の配置等に応じて、採用される排水トラップにもさまざまな種類があり、図８に示すようなＰ型、ワン型、Ｔ型、エルボ型、隔壁型がある（日本阻集器工業会・グリース阻集器認定委員会規定・規則集）。これも詳細については後述する。
【０００６】
まず、施工方法について説明する。図９（ａ）に示すように、埋設とは、厨房が建築物の最下階にある場合には、貯留槽本体１００の大きさに合わせて土間を掘り、阻集器を据え付ける方法をいう。埋設は、土中に貯留槽を埋め込むので、厨房が建物の最下階にある場合にのみ可能な施工方法である。また、増打とは、図９（ｂ）に示すように、建物の構造体であるスラブコンクリート層１０１を貫通させることなく、その上に打設されたシンダーコンクリート層１０２に、浅型の貯留槽本体１０３を埋め込む。増打は、建物の構造体であるスラブコンクリート層１０１に穴を開ける必要がないので、施工が簡単で、配置場所の自由度も高く、そのため改築の際や、高層ビルや複合施設などの２階以上にある厨房などに好んで採用される施工方法である。
【０００７】
しかし、増打で使用される浅型の貯留槽本体では排水処理に必要とされる流量が足りないという場合もあり、その場合には、建物の２階以上にある厨房においても深型の貯留槽を採用しなければならない場合がある。その場合の施工方法としては、床つりという方法を用いる。床つりとは、図９（ｃ）に示すように、建物の構造体であるスラブコンクリート層１０１を貫通させ、阻集器本体付属のアンカ（図示なし）をスラブコンクリート層内の鉄筋１０４に溶接するか、スラブコンクリート層内に打ち込んだ吊りボルト１０５等の支持金具のもう一方の端部を、貯留槽本体の底部に沿わせたＬ鋼（アングルサポート）１０６などの支持金具に取り付け、グリース阻集器全体を支持する施工方法である。
【０００８】
ここで、貯留槽本体に設けられる流出口の高さ位置は、貯留槽本体の下流の下水管につながる配管設備の配置に合わせて決められるのであるが、埋設や増打ちコンクリート埋設では、図９（ａ）（ｂ）に示すように、貯留槽本体に貯留される排水の水面（標準水位面ＷＬという）と同じかその管芯が多少高くなる位置に流出口１０７を設けることがほとんどである。一方、床つりにおいて、下水管につながる配管設備は建物の構造体であるスラブコンクリート層１０１の下に設けられることが多く、それに合わせて、貯留槽本体に設けられる流出口１０８は、標準水位面ＷＬよりもかなり低い位置に設けられることが多い。
【０００９】
標準水位面と同じか管芯が多少高くなる程度の高さ位置に設けられる流出口に取り付けられる排水トラップは、図８（ｃ）（ｄ）に示すように、Ｔ型、エルボ型などのトラップが適しており、図８（ｅ）に示すように隔壁型もその一つである。一方、流出口が標準水位面ＷＬよりも低い位置に設けられる場合に使われる排水トラップには、図８（ａ）（ｂ）に示すように、Ｐ型、ワン型が典型的で、場合によっては、図８（ｆ）に示すような隔壁型が採用される場合もある。
【００１０】
【特許文献１】実用新案登録第３０５６２５８号公報
【特許文献２】特開２００４−２５７０８１号公報
【発明の開示】
【発明が解決しようとする課題】
【００１１】
貯留槽本体の流出口を標準水位面より低い位置に設ける場合に採用されるＰ型、ワン型の排水トラップにおいて、図８（ａ）（ｂ）に示すように、排水は、排水トラップの縦直管部１０９を流下し、曲管部１１０の曲がり方向側の内周面に沿って流下するため、曲管部１１０の底面に衝突して跳ね返り、上方からも順次流下する排水とぶつかって乱流を起こし、滞留したり一部逆流したりすることがある。この際、曲管部１１０内で滞留・逆流した排水は、曲管部１１０内の一部の空間を閉塞するなどウォータープラグとなって縦直管部１０９内に密封領域を作り、さらに流下してくる排水によって密封領域内の空気が下流へ引っ張られて負圧状態を引き起こし、排水トラップ内の排水がすべて引っ張られて下流に引き込まれ、封水を破ってしまう（破封）ことが往々に発生する。なお、Ｐ型とワン型を比較すると、Ｐ型の方が、ワン型と比べて、破封現象を引き起こす可能性がより高いことが知られている。
【００１２】
また、隔壁型の排水トラップにおいても、図８（ｆ）に示すように流出口が標準水位面より低い位置に設けられている場合には、Ｐ型、ワン型の排水トラップと同じように、流出部１１１内で負圧状態が引き起こされ、Ｐ型、ワン型の排水トラップよりも可能性は低いものの、破封してしまうことも起こり得る。
【００１３】
そこで、Ｐ型の排水トラップにおいて負圧状態が発生して破封するのを防ぐため、特許文献１では、図１０に示すように、排水トラップ１１２への排水の流入方向の軸線Ｘ−Ｘと、接続管部の排水方向の軸線Ｙ−Ｙとの間の角度を５０〜７５度に偏心させている。また、図１１に示すように、特許文献２では、排水トラップ１１３の立ち上がり部の管軸Ｙ’−Ｙ’の軸線角度を鉛直方向Ｙ−Ｙに対し、１０〜８０度の角度となるように傾斜させている。
【００１４】
図１０を参考に説明すると、一般的にグリース阻集器において、貯留槽本体に占める油脂類を排水から分離させる分離室１１４の表面積の割合はできるだけ大きい方が、同じ容量の貯留槽で比較すれば、油脂類の分離処理効率（阻集効率）は高くなる。また、ＳＨＡＳＥ規格では、原則として、貯留槽の中間部（排水から油脂類を浮上分離させるための分離室に相当）と排水トラップ１１２を含む排水の流出部１１５の間には隔板１１６を設けることが推奨されている。
【００１５】
さらに従来、ＳＨＡＳＥ規格では、グリース阻集器の処理能力を維持するために定めた許容流入流量を、貯留槽本体に貯留しうる水量（以下、「実用量」という。）の７５％と定めていたのであるが、現在はそうした制限が撤廃されており、許容流入流量は、ＳＨＡＳＥ規格が求める阻集効率が維持できれば、その流量の決定はメーカー各社に委ねられている。
【００１６】
特許文献１・２によるＰ型の排水トラップ１１２、１１３を採用した場合、図８（ａ）に示すような従来の典型的な排水トラップ形状であるワン型やＰ型の排水トラップと比較すれば、破封する可能性は多少低くなるものの、排水トラップに必要なスペースが大きくなって流出部を広く取らなければならなくなり、その分、貯留槽本体に占める分離室の割合が小さくなってしまう。また、図１２に示すように、貯留槽本体に設けられる流出口は、流入口から一直線上にあるところに設けられるばかりでなく、貯留槽本体の側面に設けられることもあり、その場合には、貯留槽の大きさ次第では、特許文献１・２によるＰ型の排水トラップを取り付けることができないこともある。
【００１７】
また、分離室をなるべく広く取りたいという観点から見るならば、比較的破封する可能性の低い隔壁型の排水トラップにおいても、貯留槽の幅一杯に隔板を設ける必要があることから、Ｐ型の排水トラップと同様、流出部に要するスペースが大きくなり、貯留槽本体に占める分離室の割合が小さくなってしまう傾向は避けられない。
【００１８】
そこで、本発明では、許容流入流量が増えても破封する可能性をできる限りなくし、かつ高い阻集効率を維持できる排水トラップおよびグリース阻集器を提供することを課題とする。
【課題を解決するための手段】
【００１９】
本発明の阻集器は、阻集器の貯留槽本体に、少なくとも、排水が流れ込むバスケットと、水と油の比重差を利用して油脂分を浮上分離させる分離室と、排水を下水管へと流出させる流出口と、前記流出口に接続され、前記流出口下流からの臭気や虫の侵入を防ぐ排水トラップと、を備えた阻集器であって、
前記排水トラップは、流路が上下方向に形成され、排水を流下させる縦直管部と、前記縦直管部の上端開口部から排水が入り込めるよう空間を維持しつつ前記縦直管部の上端部を覆う封水キャップを備え、
前記縦直管部の下流側には前記排水の流路を前記上下方向から水平方向に変更させる曲管部が接続され、
前記封水キャップは、その中心軸が前記縦直管部の中心軸より前記流出口側に偏心していることを特徴とする。
【００２０】
また、本発明の阻集器には、前記排水トラップを含む流出部を囲う隔板が設けることができる。さらにこの隔板は、前記貯留槽本体内の前記流出口側内面に係止させ、前記排水トラップを含む流出部を囲うように、前記流出口側を除いた三面を有する立体形状としてもよい。
【００２１】
また、前記封水キャップは、前記隔壁上に置かれて位置決めされていてもよい。
【００２２】
さらに、前記排水トラップは、前記封水キャップの内周面と、前記縦直管部の上端外周面とが、前記流出口側とは反対側で接するように設けることもできる。
【００２３】
また、流出口側に偏心した封水キャップは、さらに左右のいずれかの方向にその中心軸を偏心させることもできる。このように排水キャップの中心軸を流出口側へ偏心させることで封水キャップと縦直管部との間に排水の通り道が形成され、縦直管部の上端開口部から封水トラップ内に流入した排水は、封水キャップと縦直管部との間の排水の通り道とは反対側の内壁に沿って流下し、曲管部内の空間を閉塞しない。
【発明の効果】
【００２４】
これによって、許容流入流量が増えても破封する可能性をできる限りなくし、かつ高い阻集効率を維持できる排水トラップおよび阻集器を提供することができる。
【図面の簡単な説明】
【００２５】
【図１】本発明の第一実施形態に係るワン型の排水トラップの（ａ）正面断面図と、（ｂ）（ａ）正面断面図のＡ−Ａ’から見た平面断面図である。
【図２】本発明の第一実施形態に係るワン型の排水トラップの偏心角度のバリエーションを示す平面図である。
【図３】本発明の第二実施形態に係るワン型の排水トラップの（ａ）正面断面図と、（ｂ）平面図である。
【図４】本発明の第三実施形態に係るワン型の排水トラップの（ａ）正面断面図と、（ｂ）平面図である。
【図５】本発明の第三実施形態に係るワン型の排水トラップの（ａ）封水キャップの正面図と、（ｂ）隔板の斜視図である。
【図６】本発明の第四実施形態に係るワン型の排水トラップの（ａ）正面断面図と、（ｂ）平面図である。
【図７】本発明に係るワン型の排水トラップを取り付けたグリース阻集器を示す平面図である。
【図８】排水トラップの種類を示す従来図である。
【図９】グリース阻集器の施工方法を示す断面図で、（ａ）埋設、（ｂ）増打コンクリート埋設、（ｃ）床つり形埋設である。
【図１０】グリース阻集器に取り付けられた従来のトラップを示す図で、（ａ）正面図、（ｂ）平面図である。
【図１１】従来のトラップを示す正面図である。
【図１２】グリース阻集器の流出口の位置を示す図で、（ａ）直進方向、（ｂ）（流入方向から見て）左方向、（ｃ）右方向である。
【発明を実施するための形態】
【００２６】
以下、本発明の実施形態を図面を参照しつつ説明する。なお、各図において、同一の部分または対応する部分には、同一の符号を付してある。
【００２７】
図１の符号１は、本発明の第一実施形態に係るワン型の排水トラップである。排水トラップ１は、流路が上下方向に形成され、排水を流下させる縦直管部２と、その下端に接続されて排水の流路を前記上下方向から水平方向に変更させるエルボなどの曲管部３と、縦直管部２の上端開口部４を上方から覆うように取り付けられる封水キャップ５とを有し、曲管部３は、グリース阻集器の貯留槽本体１００の標準水位面ＷＬより低い位置に設けられた流出口１０８に接続される。
【００２８】
封水キャップ５は、その口径が縦直管部２の径よりも十分に大きい円筒状のもので、上面部５ａと筒状部５ｂを有し、お椀を逆さにしたときのように開口部５ｃを下向きにし、縦直管部２の上端開口部４を覆うように、係止部材６を介して取り付けられる。その際、封水キャップ５は、封水キャップ５の中心軸５Ｌを、縦直管部２の中心軸２Ｌから曲がり方向側へ偏心させて、縦直管部２に取り付けられる。
【００２９】
封水キャップ５の中心軸５Ｌを流出口１０８側へ偏心させることにより、曲管部３内での排水の進行方向（曲がり方向）とは反対側の縦直管部２の上端外周部２ａと排水キャップ５の筒状部５ｂの曲がり方向とは反対側の内周部５ｄが接するように、排水キャップ５を縦直管部２上に取り付けることができる。それによって、封水キャップ５の曲がり方向側の内周面５ｅと縦直管部２の曲がり方向側の外周面２ｂの間には排水の通り道となる間隙Ｇが形成される。
【００３０】
図１の矢印が示すように、排水は流出口１０８側（曲がり方向側あるいは流路方向側）に形成された間隙Ｇから上端開口部４へ流入することとなり、縦直管部２の流出口１０８とは反対側の内壁に沿って流下するため、曲管部３内の空間を閉塞することなく、流出口１０８へと案内され流れていくことができる。
【００３１】
なお、図１に示すように、封水キャップ５の下端５ｆは縦直管部２の上端２ｃよりも深い位置に設置され、そのオーバーラップした縦方向の距離が、ＳＨＡＳＥ規格で必要とされる封水深ＳＷとなる。
【００３２】
図１に示す係止部材６は、上端開口部４の上方空間Ｓに合わせて切欠６ａを有する板状のものを、図１（ｂ）に示すようにクロスさせて、封水キャップ５内に固着させる。それにより、排水は、間隙Ｇから上方空間Ｓを通り、上端開口部４内へ案内される。
【００３３】
図２は、第一実施形態に係るワン型の排水トラップ１の封水キャップ５の偏心角度を変化させた図である。封水キャップ５の中心軸５Ｌは、曲がり方向（流路方向）側から左へ最大９０度（封水キャップ５´およびその中心軸５Ｌ´）まで、あるいは右へ最大９０度（封水キャップ５´´およびその中心軸５Ｌ´´）まで、つまり流路方向から最大１８０度の範囲で封水キャップ５の中心軸５Ｌを回転させた状態で縦直管部２を覆うこともできる。
【００３４】
図３は、本発明に係る第二の実施形態を示す図で、符号１１は、ワン型の排水トラップである。第一実施形態と同様に、縦直管部１２と、曲管部１３と、封水キャップ１５を有しているが、図３（ｂ）に示すように縦直管部１２は平面視直方形で、曲がり方向の反対側の上端外周部に封水キャップ１５を係止する係止部材１６が形成されている。この係止部材１６は、縦直管部１２の曲がり方向以外の外周であればどこに設けてもよい。本実施例では、係止部材を三方向の外周に係止部材１６を設けているが、曲がり方向側の外周にのみ設けてもかまわず、貯留槽本体１００側に係止部材を設けてもかまわない。また、縦直管部１２は、平面視直方形に限らず、平面視方形でも、平面視円形などでもかまわない。
【００３５】
封水キャップ１５は、平面視方形の箱型をしており、お椀を逆さにしたときのように開口部１５ｃを下向きにし、筒状部１５ｂが係止部材１６に嵌め込まれるようになっている。封水キャップ１５の中心軸１５Ｌを、縦直管部１２の中心軸１２Ｌから曲がり方向側へ偏心させており、排水は、封水キャップ１５の曲がり方向内周と縦直管部１２の曲がり方向外周の間に設けられた間隙Ｇから、上端開口部１４へ流入する。このとき、上端開口部１４の上方空間Ｓをさえぎるものはなく、間隙Ｇから流入する排水の流れを邪魔することがないため、乱流や滞留を起こしにくい。排水も矢印に示すように縦直管部１２の内壁に沿ってスムーズに流れる。
【００３６】
図４と図５は、本発明に係る第三の実施形態を示す図である。図４（ａ）に示すように、符号２１は、ワン型の排水トラップである。第一実施形態と同様に、円筒状の縦直管部２２と、エルボなどの曲管部２３と、封水キャップ２５を有している。
【００３７】
図５（ａ）は、封水キャップ２５の正面図で、上面部２５ａと縦直管部２２の径よりも十分に大きい円筒状の筒状部２５ｂからなり、筒状部２５ｂの中心軸２５Ｌを、縦直管部２２の中心軸２２Ｌよりも曲がり方向側（流出口１０８側）へ偏心させて、縦直管部２２の上端開口部２４の上方の空間Ｓを維持しつつ覆う。
【００３８】
本実施形態の排水トラップ２５を用いるグリース阻集器の貯留槽本体１００には、排水トラップ２５を含む流出部１００Ｄを囲う隔板２６が設けられている。隔板２６は、図４（ｂ）と図５（ｂ）に示すように、流出口１０８側（曲がり方向側）を除いた三面に隔板を有する立体形状で、その流出口１０８側にはフランジ２６ａを形成している。貯留槽本体１００内の流出口１０８側の内面に係止部材１００ａが設けられており、上から隔板２６をスライドさせて隔板２６のフランジ２６ａを貯留槽本体の係止部材１００ａに係止させる。
【００３９】
隔板２６で囲われた空間は流出部１００Ｄを形成し、隔板２６の三面の下端２６ｂは、貯留槽本体１００の底面に接するようにされているが、三面の下方にはそれぞれ切欠２６ｃが設けられている。この切欠２６ｃと貯留槽本体１００の底面で形成された開口２６ｄから、分離室１００Ｅで油脂類が分離された後の排水が流れ込む。なお図５（ｂ）では、切欠２６ｃは三面全てに設けられたものを開示しているが、切欠２６ｃを設けるのは両サイドのみでもよく、あるいは曲がり方向の反対側の面にのみ設けてもかまわない。なお、切欠２６ｃは、排水トラップ２１の封水キャップ２５の筒状部の下端よりも低い位置になるように設けられており、万が一破封した際でも、分離室の油脂類が流出口から流出しないようにしたものである。
【００４０】
封水キャップ２５の上面部２５ａは、図４（ｂ）に示すように平面視方形で、その周縁２５ｃは隔板２６の三面と同じ側に鉛直方向に折り曲げられており、曲がり方向と反対側の周縁２５ｃの内面と隔板２６の外面を接するように上面部２５ａを隔板２６の上端２６ｅ上に載置することによって、周縁２５ｃが封水キャップ２５の位置を決め、封水キャップ２５の曲がり方向とは反対側の内周部２５ｄと、縦直管部２２の上端外周部２２ａとが接するように、排水キャップ２５を縦直管部２２上に取り付けることができる。
【００４１】
第二実施形態と同様に、上端開口部２４の上方空間Ｓをさえぎるものはなく、排水は、封水キャップ２５の曲がり方向側の内周面２５ｅと縦直管部２２の曲がり方向側の外周面２２ｂの間に形成された間隙Ｇから、流れを邪魔されることがなく、上端開口部２４へ流入し、図４（ａ）の矢印に示すように縦直管部１２の内壁に沿ってスムーズに流れ、乱流や滞留を起こしにくくなる。その結果、排水トラップ内での負圧が生じる可能性がぐっと低くなるのである。
【００４２】
また、図８のＰ型や隔壁型の排水トラップで採用されるようなグリース阻集器の貯留槽本体１００の幅一杯に渡って設けられる隔板では、貯留槽本体１００に対する流出部の占める割合が大きかったものが、本発明に係るワン型の排水トラップ２１を採用し、さらに、この排水トラップ２１を三面から囲う隔板２６を採用することによって、図４（ｂ）に示すように、本来、流出部であったところを分離室１００Ｅとすることができ、同じ容量の貯留槽で比較すると、阻集効率も高くなり、さらに、許容流入流量を増やすことができる。
【００４３】
図６は、本発明に係る第四の実施形態を示す図である。排水トラップ３１は、第一や第三実施形態と同様に、円筒形の縦直管部３２と、エルボなどの曲管部３３が流出口１０８に接続されている。封水キャップ３５は、隔板３６は第二実施形態の隔板２６と同様に、流出口１０８側（曲がり方向側）を除いた三面に隔板を有する立体形状で、その流出口１０８側にはフランジ３６ａを形成している。
【００４４】
そして、貯留槽本体１００内の流出口１０８側の内面には係止部材１００ａが設けられており、上から隔板３６をスライドさせて隔板３６のフランジ３６ａを貯留槽本体の係止部材１００ａに係止させるのであるが、この第四実施形態の隔板３６は下端３６ｂが貯留槽本体１００の底面から離れて係止される。この下端３６ｂは、排水トラップ３１の封水キャップ３５の筒状部の下端よりも低い位置になるように設けられており、万が一破封した際でも、分離室の油脂類が流出口から流出しないようにしたものである。隔板３６の下端３６ｂから下の空間から、分離室１００Ｅで油脂類が分離された後の排水が、隔板３６で囲われた空間である流出部１００Ｄへと流れ込む。
【００４５】
また、封水キャップ３５は、平面視方形の箱型をしており、お椀を逆さにしたときのように開口部３５ｃを下向きにして、縦直管部３２の上方の空間Ｓを維持しつつ覆うように取り付けられる。封水キャップ３５の中心軸３５Ｌを、縦直管部３２の中心軸３２Ｌから曲がり方向側へ偏心させており、排水は、封水キャップ３５の曲がり方向内周と縦直管部３２の曲がり方向外周の間に設けられた間隙Ｇから、上端開口部３４へ流入するのは、前述した全ての実施形態と同じである。
【００４６】
封水キャップ３５の上面部３５ａの周縁にはフランジ３５ｇが形成されており、このフランジ３５ｇを、隔板３６の曲がり方向とは反対側の隔板の上端に設けられたフランジ３６ｅ上に載置させて固定することで、封水キャップ３５の曲がり方向とは反対側の内周部３５ｄと、縦直管部３２の上端外周部３２ａとが接するように位置決めされ、排水キャップ３５を縦直管部３２上に取り付ける。
【００４７】
封水キャップ３５と隔板３６を係止し、位置決めするためにそれぞれにフランジ３５ｇと３６ｅは、図６のように限定されるわけでなく、他の周縁に設けてもかまわないのは言うまでもない。また、縦直管部３２と曲管部３３は円筒状のものでなくても方形状のものでもよい。
【００４８】
図７に示すように、第一実施形態や第二実施形態で示した排水トラップ１、１１も、周囲を隔壁４６に囲われて、グリース阻集器に採用されることができる。
【００４９】
また、封水キャップは全て上面部と筒状部とを一体で形成した実施形態を開示しているが、封水キャップを取り外して、縦直管部内を清掃できればよく、上面部のみを脱着可能にしたものであってもよく、さらに、上面部に脱着可能な蓋を設けたものであってもかまわない。
【００５０】
封水キャップの中心軸が、縦直管部の中心軸と比べて、曲がり方向へ偏心しているため、上端開口部の曲がり方向側から流入した排水は、縦直管部の曲がり方向とは反対側の内壁に沿って流下するため、曲管部の底面に衝突して跳ね返り、上方からも順次流下する排水とぶつかって乱流を起こしたり、滞留したり一部逆流したりすることが激減するのである。そのため、排水によって曲管部内の一部の空間を閉塞するなどのウォータープラグの発生も激減し、縦直管部内に密封領域を作ることもなく、よって密封領域内の空気が下流に引っ張られて負圧状態を引き起こすこと可能性も激減するので、排水トラップ内の排水がすべて引っ張られて下流に引き込まれ破封してしまう可能性が格段に減り、分離槽に浮遊する油脂類が下水へと流出する可能性も格段に減るのである。
【００５１】
本発明の排水トラップを採用したグリース阻集器においては、同じ容量の貯留槽と比較して許容流入流量が増え、かつ油脂類の阻集効率が格段にアップするのである。
【００５２】
さらに、本発明の封水キャップは、その中心軸が、縦直管部の中心軸と比べて、曲がり方向へ偏心しているだけであるため、従来、貯留槽の幅一杯に広げていた隔板を、排水トラップの周囲に排水が流れるのに必要な間隙のみを維持するのみで、排水トラップを囲う隔板を採用することができるようになるため、貯留槽本体に占める分離室の表面積の割合を増加させることができるため、同じ容量の貯留槽と比較して許容流入流量が増え、かつ油脂類の阻集効率が格段にアップするのである。
【００５３】
また、本発明の封水トラップは、図１２に示すように、貯留槽本体の直進部でも左右側面にでも取り付けられる汎用性の高いものである。
【符号の説明】
【００５４】
１、１１、２１、３１  排水トラップ
２、１２、２２、３２  縦直管部
３、１３、２３、３３  曲管部
４、１４、２４、３４  上端開口部
５、１５、２５、３５  封水キャップ
６、１６                          係止部材
２６、３６、４６          隔板
１００                              貯留槽本体
１０８                            流出口
２Ｌ、１２Ｌ、２２Ｌ、３２Ｌ  縦直管部の中心軸
５Ｌ、１５Ｌ、２５Ｌ、３５Ｌ  封水キャップの中心軸
Ｇ                                      間隙
Ｓ                        上方空間
ＷＬ                    標準水位面
ＳＷ                    封水深
【図１】
0006688541.tif 000002
【図２】
0006688541.tif 000003
【図３】
0006688541.tif 000004
【図４】
0006688541.tif 000005
【図５】
0006688541.tif 000006
【図６】
0006688541.tif 000007
【図７】
0006688541.tif 000008
【図８】
0006688541.tif 000009
【図９】
0006688541.tif 000010
【図１０】
0006688541.tif 000011
【図１１】
0006688541.tif 000012
【図１２】
0006688541.tif 000013